(57)【要約】【課題】比較的大きな力で障壁を引きちぎる場合も障壁が一気に引きちぎれることなく、確実に容器内のガスをすることができるプルトップ式キャップを提供する。【解決手段】本発明は、容器の口部に取り付けられるベース11と、容器の口部を塞ぎベース11に設けた破断予定ライン１に沿う引きちぎりによって容器の口部に通じる注出口を形成する障壁15とを備えるプルトップ式キャップであって、細溝１は、障壁15を、引きちぎりの起点となる狭幅部分15ａと該狭幅部分15ａに繋がる広幅部分15ｂとを有する平面形状に区画する細溝１ａ,１ｂ,１ｃからなり、この細溝１の溝内に、狭幅部分15ａから広幅部分15ｂに移行する境界領域Ａで狭幅部分15ａを区画する細溝１ａの溝底１ｇよりも厚い溝底２ｇからなる段差部２を設ける。【選択図】図２
2005313964.tif 000002
【特許請求の範囲】
【請求項１】
容器の口部に取り付けられるベースと、容器の口部を塞ぎ前記ベースに設けた破断予定ラインに沿う引きちぎりによって容器の口部に通じる注出口を形成する障壁とを備えるプルトップ式キャップにおいて、
前記破断予定ラインは、前記障壁を、引きちぎりの起点となる狭幅部分と該狭幅部分に繋がる広幅部分とを有する平面形状に区画する細溝からなり、この細溝の溝内に、前記狭幅部分から前記広幅部分に移行する境界領域で前記狭幅部分を区画する細溝よりも溝底が厚くなる段差部を設けたことを特徴とするプルトップ式キャップ。
【請求項２】
前記境界領域は、湾曲してなることを特徴とする請求項１に記載のプルトップ式キャップ。
【発明の詳細な説明】
【技術分野】
【０００１】
本発明は、容器の口部に取り付けられるベースと、容器の口部を塞ぎ前記ベースに設けた破断予定ラインに沿う引きちぎりによって容器の口部に通じる注出口を形成する障壁とを備えるプルトップ式キャップに関するものである。
【背景技術】
【０００２】
こうしたキャップは一般的に、醤油や食用油などを内容物とする容器に用いられるが、外気との温度差などによって容器内のガス圧が上昇すると、ベースから障壁を引きちぎった瞬間に、内容物と一緒に飛び散るといった不都合が生じる。このため、従来は、破断予定ラインを細溝で形成し、この細溝で区画した障壁の一端を均等な幅の狭幅部分とすると共に、この狭幅部分を形作る細溝の溝底を厚くすることにより、この肉厚部分にて、密閉壁の引きちぎりを一旦停止させて、先に容器内で膨張したガスだけが抜けるようにしていた(例えば、特許文献１参照。)。
【特許文献１】実公昭５９−２２０３８号公報
【０００３】
しかしながら、上述のキャップは、その細溝がほぼ直線形になる部分の途中に肉厚部分があるため、例えば、密閉壁とベースとの連結が強固で密閉壁を比較的大きな力で引っ張らなければならない場合などでは、勢いあまってそのまま肉厚部分を越えて障壁が一気に引きちぎれて内容物が飛び散ってしまうといった問題があった。
【発明の開示】
【発明が解決しようとする課題】
【０００４】
解決しようとする問題点は、従来技術にあってもなお、比較的大きな力で障壁を引っ張った場合に障壁が一気に引きちぎれてしまうことである。
【課題を解決するための手段】
【０００５】
本発明は、容器の口部に取り付けられるベースと、容器の口部を塞ぎ前記ベースに設けた破断予定ラインに沿う引きちぎりによって容器の口部に通じる注出口を形成する障壁とを備えるプルトップ式キャップにおいて、前記破断予定ラインは、前記障壁を、引きちぎりの起点となる狭幅部分と該狭幅部分に繋がる広幅部分とを有する平面形状に区画する細溝からなり、この細溝の溝内に、前記狭幅部分から前記広幅部分に移行する境界領域で前記狭幅部分を区画する細溝よりも溝底が厚くなる段差部を設けたことを特徴とするものである。また、本発明にあっては、前記境界領域は湾曲してなることが望ましい。
【発明の効果】
【０００６】
本発明にあっては、狭幅部分を区画する細溝に沿って障壁の引きちぎりが開始されるが、この細溝は、従来の如く、単に直線形に伸びるのではなく、狭幅部分から広幅部分に沿って移行するため、障壁を破断させる力は、前記狭幅部分から前記広幅部分に移行する境界領域にて分散させることができる。しかも、前記境界領域には、前記狭幅部分を区画する細溝よりも溝底が厚くなる段差部があるため、細溝を破断させる際の破断抵抗も増大する。即ち、本発明によれば、狭幅部分を区画する細溝に追従して境界領域を破断させる際に更に大きな力が要求されるため、比較的大きな力で障壁を引っ張っても、細溝の破断は境界領域にて停止し、従来の如く、障壁がベースから一気に引きちぎれてしまうことがない。従って、本発明によれば、使用者には障壁を注意深く引きちぎる等の煩雑さがなく、障壁の引きちぎりを前記境界領域で確実に一時停止させることにより、容器内の圧縮ガスを抜いて内容物の飛び散りを防止することができる。
【０００７】
特に、本発明にあっては、前記境界領域を湾曲させることにより、前記狭幅部分から前記広幅部分に移行する境界領域で一旦破断が停止してから障壁を完全に引きちぎる場合も、細溝を破断させる力は前記境界領域にても比較的滑らかに伝達されるため、前記境界領域での破断を無理なく行うことができて使い勝手がよい。
【発明を実施するための最良の形態】
【０００８】
以下、図面を参照して、本発明であるプルトップ式キャップの一形態を詳細に説明にする。
【０００９】
図１(ａ),(ｂ)はそれぞれ、本発明の一形態であるプルトップ式キャップを上方から示す平面図及びそのＸ−Ｘ断面図であり、図２は、図１(ａ)の要部拡大図及びその要部断面図である。
【００１０】
キャップ１0は、容器20の口部21にアンダーカット嵌合によって取り付けられるベース11と、このベース11にヒンジ12を介して揺動可能に繋がる上蓋13からなり、ベース11の上部には環状の周壁14が一体に形成されている。この周壁14で包囲された上部11ａには、図１(ａ)の破線で示す如く、容器口部21を塞ぎベース11に設けた破断予定ライン１に沿う引きちぎりによって容器口部21に通じる注出口11ｂを形成する障壁15が設けられている。
【００１１】
障壁15は、図２に示す如く、リング形プルタブ16が一体に立設され引きちぎりの起点となる狭幅部分15ａと、この狭幅部分15ａに繋がり該狭幅部分15ａよりも幅広の広幅部分15ｂと、この広幅部分15ｂに繋がり該広幅部分15ｂよりも幅の狭い狭幅部分15ｃとを有する平面形状からなる。
【００１２】
図３(ａ)は、破断予定ライン１をベース１１の裏面、即ち、容器20の内部から後述の境界領域Ａを示す拡大正面図であり、図３(ｂ),(ｃ)はそれぞれ、図３(ａ)のＹ−Ｙ断面図及びＺ−Ｚ断面図である。
【００１３】
破断予定ライン１は、図２に示す如く、障壁15の狭幅部分15ａをヘアピン形状に区画する細溝１ａと、この細溝１ａに繋がり該細溝１ａから湾曲して障壁15の広幅部分15ｂを円弧形状に区画する円弧形の細溝１ｂと、この細溝１ｂに繋がり該細溝１ｂから湾曲して障壁15の狭幅部分15ｃをヘアピン形状に区画する細溝１ｃとからなり、図２,３に示す如く、ほぼ直線形の狭幅部分15ａから円弧形の広幅部分15ｂに移行する境界領域Ａのうち、広幅部分15ｂを区画する細溝１ｂに段差部２が設けられている。段差部２は、細溝１ａにおける溝底１ｇの厚みｈ1よりも厚い厚みｈ2の溝底２ｇを有する。即ち、本形態の段差部２は、その溝底２ｇが狭幅部分15ａから広幅部分15ｂに移行する境界領域Ａで狭幅部分15ａを区画する細溝１ａよりも厚くなっている。
【００１４】
このため、本形態にあっては、狭幅部分15ａを区画する細溝１ａに沿って障壁15の引きちぎりが開始されるが、この細溝１は、従来の如く、単に直線形に伸びるのではなく、狭幅部分15ａから広幅部分15ｂに沿って移行するため、細溝１を破断させるプルタブ16からの引っ張り力は、狭幅部分15ａから広幅部分15ｂに移行する境界領域Ａにて分散させることができる。しかも、境界領域Ａには、狭幅部分15ａを区画する細溝１ａよりも溝底が高くなる段差部２があるため、細溝１を破断させる際の破断抵抗も増大する。即ち、本形態によれば、狭幅部分15ａを区画する細溝１ａに追従して境界領域Ａを破断させる際に更に大きな力が要求されるため、比較的大きな力で障壁15を引っ張っても、細溝１の破断は境界領域Ａにて停止し、従来の如く、障壁15がベース11から一気に引きちぎれてしまうことがない。従って、本形態によれば、使用者には障壁15を注意深く引きちぎる等の煩雑さがなく、障壁15の引きちぎりを境界領域Ａで確実に一時停止させることにより、容器20内の圧縮ガスを抜いて内容物の飛び散りを防止することができる。
【００１５】
特に、本発明にあっては、図２に示す如く、境界領域Ａにて細溝１ａ,１ｂを曲率半径ｒで湾曲させている。かかる構成によれば、狭幅部分15ａから広幅部分15ｂに移行する境界領域Ａで一旦破断が停止してから障壁15を完全に引きちぎる場合も、細溝１ｂ,１ｃを破断させる力は境界領域Ａにても比較的滑らかに伝達されるため、境界領域Ａでの破断を無理なく行うことができて使い勝手がよい。
【００１６】
上述したところから明らかなように、本発明の好適な実施例を示したに過ぎず、当業者によれば、請求の範囲において、種々の変更を加えることができる。例えば、本形態において、段差部２の始端２ｅは、図３に示す如く、広幅部分15ｂを区画する細溝１ｂ側にあるが、境界領域Ａにあれば、その始端が狭幅部分15ａを区画する細溝１ａ側、又は、細溝１ａと細溝１ｂとの連結部分Ｐ(図３参照。)にあってもよい。更に、段差部２の長さＬは適宜変更することができ、使用用途などに応じて境界領域Ａでの破断に必要な引っ張り力を調整することができる。
【図面の簡単な説明】
【００１７】
【図１】(ａ),(ｂ)はそれぞれ、本発明の一形態であるプルトップ式キャップを示す平面図及びそのＸ−Ｘ断面図である。
【図２】図１(ａ)の要部拡大図及びその要部断面図である。
【図３】(ａ)は、破断予定ライン１をベース１１の裏面から境界領域Ａを示す拡大正面図であり、(ｂ),(ｃ)はそれぞれ、図３(ａ)のＹ−Ｙ断面図及びＺ−Ｚ断面図である。
【符号の説明】
【００１８】
１    破断予定ライン(細溝)
１ａ  狭幅部分15ａを区画する細溝
１ｂ  広幅部分15ｂを区画する細溝
１ｃ  狭幅部分15ｃを区画する細溝
１ｇ  溝底
２    段差部
２ｇ  溝底
11    ベース
11ａ  ベース上部
11ｂ  吐出口
12    ヒンジ
13    上蓋
14    周壁
15    障壁
15ａ  狭幅部分
15ｂ  広幅部分
15ｃ  狭幅部分
16    リング形プルタブ
【図１】
2005313964.tif 000003
【図２】
2005313964.tif 000004
【図３】
2005313964.tif 000005